(57)【要約】      （修正有）【課題】情報表示用パネルを表裏利用でき、表示待ち動作をなくして、紙媒体書籍と感覚的にずれのない読書が可能な書籍型情報表示装置の提供。【解決手段】書籍型情報表示装置は、最初１枚目と最後ｎ枚目とに少なくとも片面表示可能な情報表示用パネルを用い、２枚目〜（ｎ−１）枚目に両面表示可能な情報表示用パネルを用い、最初１枚目の片面表示可能な情報表示用パネル（情報表示用パネル１）の表示面と２枚目の両面表示可能な情報表示用パネル（情報表示用パネル２）の表側表示面との２画面に表示している情報を、情報表示用パネル２に取り付けられた情報書き換えスイッチをＯＮにした後、情報表示用パネル２を裏返すことで、情報表示用パネル２の裏側表示面と、次の両面表示可能な情報表示用パネル（順次、情報表示用パネル３、４、…、（ｎ−１））の表側表示面との２画面に、情報書き換えスイッチで選択表示された情報を見ることができるよう構成する。【選択図】図３
2008299269.tif 000002
【特許請求の範囲】
【請求項１】
最初１枚目と最後ｎ枚目とに少なくとも片面表示可能な情報表示用パネルを用い、２枚目〜（ｎ−１）枚目に両面表示可能な情報表示用パネルを用いた書籍型情報表示装置であって、最初１枚目の片面表示可能な情報表示用パネル（情報表示用パネル１）の表示面と２枚目の両面表示可能な情報表示用パネル（情報表示用パネル２）の表側表示面との２画面に表示している情報を、情報表示用パネル２に取り付けられた情報書き換えスイッチをＯＮにした後、情報表示用パネル２を裏返すことで、情報表示用パネル２の裏側表示面と、次の両面表示可能な情報表示用パネル（順次、情報表示用パネル３、４、…、（ｎ−１））の表側表示面との２画面に、情報書き換えスイッチで選択表示された情報を見ることができるよう構成したことを特徴とする書籍型情報表示装置。
【請求項２】
情報表示用パネルの表示部パネルを、電界駆動可能な表示媒体を２枚の基板間に封入し、基板に設けた対電極から電界を付与することで表示媒体を移動させて画像等の情報表示を書き換えするドットマトリックス表示方式の表示部パネルとしたことを特徴とする請求項１に記載の書籍型情報表示装置。
【請求項３】
両面表示可能な情報表示用パネルの表示部パネルを、電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したことを特徴とする請求項２に記載の書籍型情報表示装置。
【請求項４】
両面表示可能な情報表示用パネルの表示部パネルを、表裏の両表示面を透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ電界駆動可能な表示媒体を封入し、基板に設けた対電極から電界を付与することで表示媒体を移動させて画像等の情報表示を書き換えするドットマトリックス表示方式の表示部パネル１枚で構成したことを特徴とする請求項２に記載の書籍型情報表示装置。
【請求項５】
両面表示可能な情報表示用パネルの表示部パネルを、電界駆動可能な表示媒体を一方が透明な２枚の基板間に封入し、基板に設けた電極から電界を付与することで表示媒体を移動させて画像等の情報表示を書き換えするドットマトリックス表示方式の表示部パネル２枚を組み合わせて構成したことを特徴とする請求項２に記載の書籍型情報表示装置。
【請求項６】
すべての情報表示用パネルの表示部パネルを、表示画素配置構成および表示媒体駆動方式が同一の表示部パネルで構成したことを特徴とする請求項１に記載の書籍型情報表示装置。
【請求項７】
両面表示可能な情報表示用パネルの周囲の少なくとも一部に筐体部を設け、情報書き換えスイッチをすべての両面表示可能な情報表示用パネルの筐体部に設けたことを特徴とする請求項１〜６のいずれか１項に記載の書籍型情報表示装置。
【請求項８】
最初１枚目の情報表示用パネル（情報表示用パネル１）と最後ｎ枚目の情報表示用パネル（情報表示用パネルｎ）とを表示面とは反対側の面を取り付け面として、書籍型情報表示装置本体に固定装着し、２枚目〜（ｎ−１）枚目の（ｎ−２）枚の両面表示可能な情報表示用パネルを、前記並列固定装着された２枚の情報表示用パネルの間に、裏返し可能に書籍型情報表示装置本体に装着したことを特徴とする請求項１〜７のいずれか１項に記載の書籍型情報表示装置。
【請求項９】
書籍型情報表示装置本体を折り曲げ可能に構成し、最初１枚目の情報表示用パネル（情報表示用パネル１）と最後ｎ枚目の情報表示用パネル（情報表示用パネルｎ）とを表示面とは反対側の面を取り付け面として、書籍型情報表示装置本体の折り曲げ部分を挟んだ両側に並列固定装着し、２枚目〜（ｎ−１）枚目の（ｎ−２）枚の両面表示可能な情報表示用パネルを、前記並列固定装着された２枚の情報表示用パネルの間に、裏返し可能に書籍型情報表示装置本体に装着したことを特徴とする請求項１〜８のいずれか１項に記載の書籍型情報表示装置。
【請求項１０】
最初１枚目の情報表示用パネル（情報表示用パネル１）と最後ｎ枚目の情報表示用パネル（情報表示用パネルｎ）との２枚の情報表示用パネルを片面表示可能な表示用パネル１枚で構成した情報表示用パネルとし、２枚目〜（ｎ−１）枚目の（ｎ−２）枚の情報表示用パネルの表示部パネルを両面表示可能な表示部パネル１枚で構成した情報表示用パネルとしたことを特徴とする請求項８または９に記載の書籍型情報表示装置。
【請求項１１】
最後ｎ枚目の情報表示用パネルに設けた情報書き換えスイッチにて書き換えた情報は、最初１枚目の情報表示用パネル（情報表示用パネル１）表示面と２枚目の両面表示可能な情報表示用パネル（情報表示用パネル２）の表側表示面との２画面に情報表示することを特徴とする請求項１〜１０のいずれか１項に記載の書籍型情報表示装置。
【請求項１２】
両面表示可能な情報表示用パネル２〜情報表示用パネル（ｎ−１）に設ける情報書き換えスイッチを、書き換えスイッチ（送り）と書き換えスイッチ（戻り）とから構成し、（１）送り捲りする裏返しの対象とする情報表示用パネルの書き換えスイッチ（送り）をＯＮにして、該情報表示用パネルを裏返すことで、該情報表示用パネルの裏側第２表示面と次の情報表示用パネルの表側第１表示面との見開き２画面に表示された次ページ情報と次々ページ情報とを見ることができ、（２）戻り捲りする裏返しの対象とする書き換えスイッチ（戻り）をＯＮにして、該情報表示用パネルを裏返すことで、該情報表示用パネルの表側第１表示面と前の情報表示用パネルの裏側第２表示面との見開き２画面に表示された前ページ情報と前々ページ情報とを見ることができるように構成したことを特徴とする請求項１〜１１のいずれか１項に記載の書籍型情報表示装置。
【請求項１３】
書籍型情報表示装置本体に、表示させたいページを取り込むための外部メモリー接続端子、電池、表示媒体駆動装置、データ読み取り装置が搭載され、書き換えスイッチで与えられた情報の書き換え信号に応じて表示する情報を書き換えることを特徴とする請求項１〜１２のいずれか１項に記載の書籍型情報表示装置。
【発明の詳細な説明】
【技術分野】
【０００１】
本発明は、電界駆動可能な表示媒体を２枚の基板間に封入し、基板に設けた対電極から電界を付与することで表示媒体を移動させて画像等の情報表示を書き換えできる表示部パネルで構成した両面表示可能な情報表示用パネルを複数枚用いた書籍型情報表示装置に関するものである。
【背景技術】
【０００２】
従来、情報表示用パネルを用いた情報表示装置の一例として、表示媒体として液晶を用いた情報表示装置（液晶方式：例えば特許文献１参照）や、表示媒体として帯電粒子を用いた情報表示装置（電気泳動方式や電子粉流体方式）が知られている。
【０００３】
【特許文献１】特開平９−２６５４７０号公報
【０００４】
上述した従来の情報表示装置では、いずれも、情報表示用パネルの画面に表示させた情報に代わって別の情報を表示させる場合、同じ表示画面を使って別の情報の表示を行っていた。つまり、表示させた情報を消去してから次に表示する別の情報を表示する（情報を書き換える）ことを行っていた。
【発明の開示】
【発明が解決しようとする課題】
【０００５】
そのため、上述した従来の情報表示用パネルを利用した情報表示装置では、一画面に情報を表示させて読むようにしたものであったため、従来の紙媒体書籍でページを捲って読み進めるのとは異なり、次ページ画面に書き換える動作が読者に感覚的な違和感を与える問題があった。また、画面に表示された情報の書き換えが終了するまで待つことになるが、その間、どうしても画面を見続けてしまう人間的習性のため、読者の目が疲れるという問題もあった。さらに、ページ書き換え動作中も画面を見続けていることになるため、書き換えに要する時間を長く感じる場合もあり、紙媒体書籍の読書に慣れた人には、スピーディーでリズミカルな読書ができないという不都合もあった。
【０００６】
本発明の目的は上述した問題点を解消して、１枚の情報表示用パネルを１枚の紙の表裏のように利用することができるとともに、次の情報が表示されるまで待つ動作をなくすことができ、紙媒体書籍でページを捲って読み進めるのと感覚的にずれのない読書が可能な書籍型情報表示装置を提供しようとするものである。
【課題を解決するための手段】
【０００７】
本発明の書籍型情報表示装置は、最初１枚目と最後ｎ枚目とに少なくとも片面表示可能な情報表示用パネルを用い、２枚目〜（ｎ−１）枚目に両面表示可能な情報表示用パネルを用いた書籍型情報表示装置であって、最初１枚目の片面表示可能な情報表示用パネル（情報表示用パネル１）の表示面と２枚目の両面表示可能な情報表示用パネル（情報表示用パネル２）の表側表示面との２画面に表示している情報を、情報表示用パネル２に取り付けられた情報書き換えスイッチをＯＮにした後、情報表示用パネル２を裏返すことで、情報表示用パネル２の裏側表示面と、次の両面表示可能な情報表示用パネル（順次、情報表示用パネル３、４、…、（ｎ−１））の表側表示面との２画面に、情報書き換えスイッチで選択表示された情報を見ることができるよう構成したことを特徴とするものである。
【０００８】
なお、本発明の書籍型情報表示装置の好適例としては、情報表示用パネルの表示部パネルを、電界駆動可能な表示媒体を２枚の基板間に封入し、基板に設けた対電極から電界を付与することで表示媒体を移動させて画像等の情報表示を書き換えするドットマトリックス表示方式の表示部パネルとしたこと、両面表示可能な情報表示用パネルの表示部パネルを、電界駆動可能な表示媒体を２枚の透明基板間に封入し、基板に設けた透明対電極から電界を付与することで表示媒体を移動させて画像等の情報表示を書き換えするドットマトリックス表示方式の表示部パネル１枚で構成したこと、両面表示可能な情報表示用パネルの表示部パネルを、表裏の両表示面を透明な電極付き基板で構成し、その２枚の電極付き透明基板の間に、透明でなく、かつ、前記２枚の透明基板の電極と対をなすような電極が両面に設けられた基板を配置して形成された２つの基板間空間にそれぞれ電界駆動可能な表示媒体を封入し、基板に設けた対電極から電界を付与することで表示媒体を移動させて画像等の情報表示を書き換えするドットマトリックス表示方式の表示部パネル１枚で構成したこと、両面表示可能な情報表示用パネルの表示部パネルを、電界駆動可能な表示媒体を一方が透明な２枚の基板間に封入し、基板に設けた対電極から電界を付与することで表示媒体を移動させて画像等の情報表示を書き換えするドットマトリックス表示方式の表示部パネル２枚を組み合わせて構成したこと、すべての情報表示用パネルの表示部パネルを、表示画素配置構成および表示媒体駆動方式が同一の表示部パネルで構成したこと、両面表示可能な情報表示用パネルの周囲の少なくとも一部に筐体部を設け、情報書き換えスイッチをすべての両面表示可能な情報表示用パネルの筐体部に設けたこと、がある。
【０００９】
また、本発明の書籍型情報表示装置の他の好適例としては、最初１枚目の情報表示用パネル（情報表示用パネル１）と最後ｎ枚目の情報表示用パネル（情報表示用パネルｎ）とを表示面とは反対側の面を取り付け面として、書籍型情報表示装置本体に固定装着し、２枚目〜（ｎ−１）枚目の（ｎ−２）枚の両面表示可能な情報表示用パネルを、前記並列固定装着された２枚の情報表示用パネルの間に、裏返し可能に書籍型情報表示装置本体に装着したことを、書籍型情報表示装置本体を折り曲げ可能に構成し、最初１枚目の情報表示用パネル（情報表示用パネル１）と最後ｎ枚目の情報表示用パネル（情報表示用パネルｎ）とを表示面とは反対側の面を取り付け面として、書籍型情報表示装置本体の折り曲げ部分を挟んだ両側に並列固定装着し、２枚目〜（ｎ−１）枚目の（ｎ−２）枚の両面表示可能な情報表示用パネルを、前記並列固定装着された２枚の情報表示用パネルの間に、裏返し可能に書籍型情報表示装置本体に装着したこと、最初１枚目の情報表示用パネル（情報表示用パネル１）と最後ｎ枚目の情報表示用パネル（情報表示用パネルｎ）との２枚の情報表示用パネルの表示部パネルを片面表示可能な表示部パネル１枚で構成した情報表示用パネルとし、２枚目〜（ｎ−１）枚目の（ｎ−２）枚の情報表示用パネルの表示部パネルを両面表示可能な表示部パネル１枚で構成した情報表示用パネルとしたこと、最後ｎ枚目の情報表示用パネルに設けた情報書き換えスイッチにて書き換えた情報は、最初１枚目の情報表示用パネル（情報表示用パネル１）表示面と２枚目の両面表示可能な情報表示用パネル（情報表示用パネル２）の表側表示面との２画面に情報表示すること、がある。
【００１０】
さらに、本発明の書籍型情報表示装置のさらに他の好適例としては、情報表示板本体に、表示させたいページを取り込むための外部メモリー接続端子、電池、表示媒体駆動装置、データ読み取り装置が搭載され、書き換えスイッチで与えられた情報の書き換え信号に応じて表示する情報を書き換えること、がある。
【発明の効果】
【００１１】
本発明によれば、最初１枚目の片面表示可能な情報表示用パネル（情報表示用パネル１）の表示面と２枚目の両面表示可能な情報表示用パネル（情報表示用パネル２）の表側表示面との２画面に表示している情報を、情報表示用パネル２に取り付けられた情報書き換えスイッチをＯＮにした後、情報表示用パネル２を裏返すことで、情報表示用パネル２の裏側表示面と、次の両面表示可能な情報表示用パネル（順次、情報表示用パネル３、４、…、（ｎ−１））の表側表示面との２画面に、情報書き換えスイッチで選択表示された情報を見ることができるよう構成したことで、１枚の情報表示用パネルを１枚の紙の表裏のように利用することができるとともに、次の情報が表示されるまで待つ動作をなくすことができ、紙媒体書籍でページを捲って読み進めるのと感覚的にずれのない読書が可能な書籍型情報表示装置を得ることができる。
【発明を実施するための最良の形態】
【００１２】
図１（ａ）、（ｂ）はそれぞれ本発明の書籍型情報表示装置を構成する両面表示可能な情報表示用パネルの一例を説明するための図であり、図１（ａ）はその平面図を、図１（ｂ）は図１（ａ）のＡ−Ａ線に沿った断面図を、それぞれ示している。図１（ａ）、（ｂ）に示す例において、情報表示用パネル１は、表裏両面で情報を表示できるように構成した表示部パネル２と、表示部パネル２の周囲に設けられた筐体３と、から構成されている。表示部パネル２は、帯電粒子で構成される表示媒体を２枚の電極付き基板間の空間に封止した構成の表裏両面で情報を表示できる表示部パネルを１枚用いて構成している。筐体３の側面には、情報書き換えスイッチとしてのページ捲りスイッチ（送り）４とページ捲りスイッチ（戻り）５とが設けられている。本例の情報表示用パネル１は、２〜（ｎ−１）枚目の情報表示用パネルとして用いることができる。
【００１３】
図２（ａ）、（ｂ）はそれぞれ本発明の書籍型情報表示装置を構成する両面表示可能な情報表示用パネルの他の例を説明するための図であり、図２（ａ）は平面図を、図２（ｂ）は図２（ａ）のＡ−Ａ線に沿った断面図を、それぞれ示している。図２（ａ）、（ｂ）において図１（ａ）、（ｂ）に示す例と同一の部材には同一の符号を付し、その説明を省略する。図２（ａ）、（ｂ）に示す例では、表示部パネル２を、それぞれが片面表示に構成した２つの表示部パネル２−１、２−２を組み合わせて構成している。本例の情報表示用パネル１も、２〜（ｎ−１）枚目の情報表示用パネルとして用いることができる。
【００１４】
なお、本発明の書籍型情報表示装置において、図１、図２に示した情報表示用パネルを最初１枚目と最後ｎ枚目の情報表示用パネルとする場合、最初１枚目の情報表示用パネル１にはいずれの情報書き換えスイッチも設けない。また、最後のｎ枚目の情報表示用パネル１にはページ捲りスイッチ（送り）４のみを設ける。
【００１５】
図３（ａ）、（ｂ）はそれぞれ本発明の書籍型情報表示装置の一例を説明するための図であり、図３（ａ）はその斜視図を、図３（ｂ）はその側面図を、それぞれ示している。図３（ａ）、（ｂ）に示す例において、書籍型情報表示装置１１は、表示部パネル２の周囲に筐体３を設けたｎ枚の情報表示用パネル１を、折り曲げ可能な書籍型情報表示装置本体１２に、裏返す（捲る）ことが可能に装着されている。１枚目から（ｎ−１）枚目までの各情報表示用パネル１の書籍型情報表示装置本体１２への装着は、ヒンジ機構などからなる可動固定部１３を、書籍型情報表示装置本体１２の折り曲げ可動部１４に装着することで行っている。また、書籍型情報表示装置本体１２の最終ページに対応する情報表示用パネル１５は表示面と反対側の面を取り付け面として、書籍型情報表示装置本体１２と固定装着する。なお、図面を簡単にするために、図３（ａ）、（ｂ）に示す例では、各情報表示用パネル１の筐体３に設けたページ捲りスイッチ（送り）４とページ捲りスイッチ（戻り）５とを示していない。
【００１６】
図４はおよび図５はそれぞれ本発明の書籍型情報表示装置の他の例を説明するための図である。図４および図５に示す例において、書籍型情報表示装置２１は、基本的に図３（ａ）、（ｂ）に示す書籍型情報表示装置１１と同じ構成を有している。加えて、本例では、書籍型情報表示装置本体１２に、ＵＳＢメモリー等の外部メモリー装着端子２２が設けられ、ＵＳＢメモリー等の外部メモリー２３に蓄積された表示させたい情報を取り込むことができる。さらに、電池２４、表示媒体駆動装置２５、データ読み取り装置２６が搭載され、情報書き換えスイッチで与えられた情報の書き換え信号に応じて表示する情報を書き換える。なお、図４に示す例では、１枚目およびｎ枚目の情報表示用パネルとも書籍型情報表示装置本体に固定装着せずに、他の２〜（ｎ−１）枚目の情報表示用パネルと同様に捲り可能に装着した例を示している。一方、図５に示す例では、１枚目およびｎ枚目の情報表示用パネルを書籍側情報表示装置本体に固定装着した例を示している。
【００１７】
上述した書籍型情報表示装置１１、２１では、ｎ枚（図４の例）あるいは（ｎ−２）枚（図５の例）の情報表示用パネル１を書籍型情報表示装置本体１２に裏返す動作が可能に装着して構成している。しかし、本発明はこの例に限定されるものではなく、書籍型情報表示装置を、２枚の片面表示式情報表示用パネルの間に両面表示式情報表示用パネルを複数枚挟み込んだ構造とした複数の情報表示用パネルのみで構成することもできる。この場合は、情報表示用パネルの電極引き出しを一方向にし、この一方向側の筐体部分を綴じ代とした書籍型情報表示装置とし、綴じ代に駆動装置、電源（電池）、外部メモリー装着端子、データ読み取り装置を設けて構成する。この場合も、情報書き換えスイッチを各情報表示用パネルの筐体部に設け、情報書き換えスイッチをＯＮにした後、情報表示用パネルを捲るようにして裏返すと裏面にこれまで表示されていた情報とは別に表示された情報を次の画面で見ることができる。この情報書き換えスイッチは情報表示用パネルの筐体の綴じ代としない位置に設けるか、筐体３とは別に綴じ込んだ書籍型情報表示板本体に設ける。
【００１８】
また、最初の１枚目情報表示用パネルや最後のｎ枚目情報表示用パネルは、両面表示できるものであっても、片面しか表示できないものであってもよい。最後ｎ枚目の情報表示用パネルは書籍型情報表示装置本体に一体に固定装着することが好ましく、表示面と反対側の面を取り付け面として固定装着する。最後のｎ枚目情報表示用パネルに設けられたページ捲りスイッチ（送り）をＯＮにすると、最初の１枚目情報表示用パネルの表示面と２枚目情報表示用パネルの表側表示面（第１表示面）との見開き２画面に次ページ、次々ページを表示するようにし、これまでに捲った情報表示用パネルを全て戻し、最初の１枚目情報表示用パネル表面に表示された次ページを読む。以降、この繰り返しによって読書等を連続的に行うことができる。
【００１９】
次に、図６（ａ）〜（ｃ）から図９（ａ）〜（ｃ）を参照して、本発明の書籍型情報表示装置の動作について説明する。
【００２０】
図６（ａ）〜（ｃ）に示す例は、本発明の書籍型情報表示装置におけるページ送り動作の基本を説明するため情報表示用パネルとしては２枚目（１−１）と３枚目（１−２）のみを示している（１枚目の情報表示用パネルは既に捲られて図の書籍型情報表示装置の左側にあるものとしている）。まず、図６（ａ）に示したように２枚目の情報表示用パネル１−１の表側表示面（第１表示面）に情報を表示した状態で、ページ捲りスイッチ（送り）４を押し、図６（ｂ）に示すように２枚目の情報表示用パネル１−１を裏返して裏面を開くことで、図６（ｃ）に示すように２枚目の情報表示用パネル１−１の裏側表示面（第２表示面）と３枚目の情報表示用パネル１−２の表側表示面（第１表示面）とに次ページおよび次々ページが表示される。２枚目の情報表示パネル１−１から最後から２枚目（（ｎ−１）枚目）の情報表示パネルにおけるページ送り動作は、すべて上述した動作となる。
【００２１】
図７（ａ）〜（ｃ）に示す例は、本発明の書籍型情報表示装置におけるページ戻り動作の基本を説明するため情報表示用パネルとしては２枚目（１−１）と３枚目（１−２）のみを示している。まず、図７（ａ）に示したように３枚目情報表示用パネル１−２の裏側表示面（第２表示面）に情報を表示した状態で、ページ捲りスイッチ（戻り）５を押し、図７（ｂ）に示すように３枚目情報表示用パネル１−２を裏返して表面を開くことで、図７（ｃ）に示すように３枚目情報表示用パネル１−２の表側表示面（第１表示面）と２枚目情報表示用パネル１−１の裏側表示面（第２表示面）とに表示された前ページおよび前々ページを見ることができる。２枚目の情報表示パネル１−１から最後から２枚目（（ｎ−１）枚目）の情報表示パネルにおけるページ戻り動作は、すべて上述した動作となる。
【００２２】
図８（ａ）〜（ｃ）に示す例は、本発明の書籍型情報表示装置の最後ｎ枚目の情報表示用パネルにおけるページ送り動作の基本を説明している。まず、図８（ａ）に示すように最後から２枚目（（ｎ−１）枚目）の情報表示用パネル（１−（ｎ−１））の裏側表示面（第２表示面）および最後ｎ枚目の情報表示用パネル（１−ｎ）の表側表示面に情報を表示した状態で、最後ｎ枚目の情報表示用パネル（１−ｎ）のページ捲りスイッチ（送り）４を押し、図８（ｂ）に示すように裏返し可能に装着された情報表示用パネル１−（２〜（ｎ−１））すべてを裏返して最初の画面を開くことで、図８（ｃ）に示すように最初１枚目の情報表示用パネル１−１の表示面と２枚目の情報表示用パネル１−２の表側表示面（第１表示面）とに表示された次ページおよび次々ページを見ることができる。ページ戻り動作は、（ｎ−１）枚目の情報表示用パネルのページ捲りスイッチ（戻り）を押して、（ｎ−１）枚目の情報表示用パネルを裏返すことで、（ｎ−２）枚目情報表示用パネルの裏側表示面（第２表示面）と（ｎ−１）枚目情報表示用パネルの表側表示面（第１表示面）とに表示された前ページおよび前々ページを見ることができる。
【００２３】
次に、ページ送り動作の具体的な一例を説明する。図９（ａ）〜（ｄ）はそれぞれ本発明の書籍型情報表示板のページ送り動作の具体的な一例を説明するための図である。図９（ａ）〜（ｄ）に示す例では、まず、図９（ａ）に示すように、１枚目の情報表示用パネル１−１の表示面および２枚目の情報表示用パネル１−２の表側表示面（第１表示面）に１ページ目および２ページ目の情報が表示されている。この状態で、２枚目の情報表示用パネル１−２に設けられたページ捲りスイッチ（送り）４をＯＮにして２枚目の情報表示用パネル１−２を裏返すことで、図９（ｂ）に示すように、２枚目の情報表示用パネル１−２の裏側表示面（第２表示面）に表示された次ページ（３ページ）とともに、３枚目の情報表示用パネル１−３の表側表示面（第１表示面）に表示された次々ページ（４ページ）を見ることができる。ページ送り動作を繰り返すことで、図９（ｃ）に示すように、最後から２枚目の情報表示用パネル（１−（ｎ−１））の裏側表示面（第２表示面）および最後の情報表示用パネル（１−ｎ）の表示面に情報が表示されている状態となる。この状態から同じページ送り動作をすることができない。そのため、この状態で最後の情報表示用パネル（１−ｎ）のページ捲りスイッチ（送り）４をＯＮにして、２枚目から最後から１枚目の情報表示用パネルのすべてを再度裏返して戻すことで、図９（ｄ）に示すように、１枚目の情報表示用パネル１−１の表示面および２枚目の情報表示用パネル１−２の表側表示面（第１表示面）に表示された次ページおよび次々ページの情報を見ることができるよう構成している。その後、同じページ送り動作を続けることで、最終ページまで見ることができる。
【００２４】
なお、変形例として、最後の１枚となる情報表示用パネル以外の１枚目から始まる複数の、両面表示が可能な表示用パネルを用いた情報表示用パネルの筐体に設けたページ捲りスイッチにおいては、ページ捲りスイッチ（送り）を１回押すと次ページおよび次々ページを次の見開き画面に表示するようにし、ページ捲りスイッチ（送り）を２回押すと次ページをスキップして次々ページおよびその次のページを次の見開き画面に表示するようにできる。また、ページ捲りスイッチ（戻り）を１回押すと前ページおよび前々ページを前の見開き画面に表示するようにし、ページ捲りスイッチ（戻り）を２回押すと前ページをスキップして前々ページおよびさらに前のページを前の見開き画面に表示するようにもできる。
【００２５】
上述した実施例において、両面表示可能な情報表示用パネル１を両面表示可能な１枚の表示部パネルで構成する場合として好ましい態様は以下の通りである。まず、電界駆動可能な表示媒体としては、帯電粒子を気体中空間で駆動する方式や、帯電粒子を絶縁液体中で駆動する（電気泳動）方式や、半分ずつ帯電極性および色が異なる部分で構成した帯電粒子を絶縁液体とともにマイクロカプセル中で駆動（回転）する方式のものに適用できる。また、２枚の透明基板には、透明な導電材料で電極を対で設け、この対電極間に形成された電界によって表示媒体を駆動させて画像等の情報表示を書き換える。対電極は、ライン電極を互いに直交交差させて形成したり、個別電極を対向させて形成したりすることができる。いずれの場合もドットマトリックス表示方式の表示部パネルとすることができる。
【００２６】
さらに、基板としては、ガラス、石英等の無機シートや、ポリエチレンテレフタレート（ＰＥＴ）、ポリエチレンナフタレート（ＰＥＮ）、ポリエチレン（ＰＥ）、ポリカーボネート（ＰＣ）、ポリイミド（ＰＩ）、ポリエーテルサルフォン（ＰＥＳ）、アクリル等の有機高分子系シートを用いることができ、このうち観察面となる側の基板には透明なものを用いる。両面表示可能な情報表示用パネル１を、片面表示式の表示部パネルを２枚用いて構成する場合には、上記駆動方式の表示部パネルの他、液晶方式やエレクトロクロミック表示方式の表示部パネルも好適に用いられる。表示面側基板は前記材料のうち透明なものを用いるが、もう一方の基板には透明でないものも用いることができる。さらにまた、ライン電極で構成した対電極の場合にはパッシブ駆動方式を用い、個別電極で構成した対電極の場合にはアクティブ駆動方式を用いる。いずれの場合もドットマトリックス型情報表示用パネルとすることができる。
【００２７】
次に、表示部パネル２の具体例として、帯電粒子（表示媒体）を気体中空間で駆動する方式の一例を、図１０（ａ）、（ｂ）〜図１５（ａ）、（ｂ）それぞれを参照して説明する。
【００２８】
図１０（ａ）、（ｂ）〜図１２（ａ）、（ｂ）に示した例では、帯電粒子からなる電界駆動可能な表示媒体３３を２枚の透明基板３１、３２間の空間に封入し、透明基板３１、３２のそれぞれに設けた透明電極３５、３６から電界を付与することで、表示媒体３３を移動させて画像等の情報表示を書き換えできるドットマトリックス表示方式の両面表示可能な表示部パネル２を示している。また、表示媒体３を封入する透明基板３１、３２間の空間は、隔壁３４により複数のセル（小部屋）３７で仕切られている。これにより、封入した表示媒体３３が偏ることを防止できる。なお、表示媒体３３をマイクロカプセルに封止した場合には、このマイクロカプセルがセル（小部屋）の機能を有するので、さらにセル（小部屋）を設けなくても良い。
【００２９】
図１０（ａ）、（ｂ）に示す例では、３つのセル３７を表示単位（１ドット）とし、それぞれのセル３７に、白色表示媒体３３Ｗと赤色表示媒体３３Ｒとの２色の組み合わせの表示媒体、白色表示媒体３３Ｗと緑色表示媒体３３Ｇとの２色の組み合わせの表示媒体、白色表示媒体３３Ｗと青色表示媒体３３ＢＬとの２色の組み合わせの表示媒体、を封入してカラードット表示している。図１０（ａ）、（ｂ）に示す例とも観察者に対し赤色ドット表示を行っている。図１０（ａ）と図１０（ｂ）との相違点は、図１０（ａ）に示す例では電極３５、３６をライン電極として構成しているのに対し、図１０（ｂ）に示す例では電極３５、３６を個別電極として構成している点である。表示媒体の２色の組み合わせは上述した例に限定されるものではなく、例えば、それぞれのセルに黒赤２色、黒緑２色、黒青２色の組み合わせで表示媒体を封入した構成によってもカラードット表示することができる。
【００３０】
図１１（ａ）、（ｂ）に示す例では、３つのセル３７を表示単位（１ドット）とし、それぞれのセル３７の両面に、三原色カラーフィルター４１Ｒ、４１Ｇ、４１ＢＬを配置し、白色表示媒体３３Ｗと黒色表示媒体３３Ｂの２色の表示媒体によってカラードット表示している。図１１（ａ）、（ｂ）とも観察者に対し青色ドット表示を行っている。図１１（ａ）と図１１（ｂ）との相違点は、図１１（ａ）に示す例では電極３５、３６をライン電極として構成しているのに対し、図１１（ｂ）に示す例では電極３５、３６を個別電極として構成している点である。他の構成として、４つのセル３７を表示単位（１ドット）とし、それぞれのセル３７に三原色カラーフィルターと無色のカラーフィルターとを配置し、白黒２色の表示媒体によってカラードット表示することもできる。
【００３１】
また、カラーフィルターを用いてカラー表示する場合には、表裏両面にカラーフィルターを設けることが好ましいが、どちらかの面ではカラー表示でなく２色で表示させたい場合にはどちらか１面にカラーフィルターを設けるだけでよい。このように構成することで、両面表示可能な表示部パネルとして、一面を高精細な文字等の情報を表示するのに好適なモノクロドット表示とし、他の面を図形等の情報を表示するのに好適なカラードット表示とした表示部パネルを得ることができる。もちろん、用途に応じて、両面モノクロ表示とすることもでき、読書を行うための電子書籍とする場合には、目が疲れにくくて見易い白地に黒色ドット表示されるモノクロ表示が好ましい。
【００３２】
図１２（ａ）、（ｂ）に示す例では、３つのセル３７を表示単位（１ドット）とし、それぞれのセル３７に、白色表示媒体３３Ｗとマゼンタ色表示媒体３３Ｍとの２色の組み合わせの表示媒体、白色表示媒体３３Ｗとシアン色表示媒体３３Ｃとの２色の組み合わせの表示媒体、白色表示媒体３３Ｗとイエロー色表示媒体３３Ｙとの２色の組み合わせの表示媒体、を封入してカラードット表示している。図１２（ａ）、（ｂ）とも観察者に対しマゼンタ色表示を行っている。図１２（ａ）と図１２（ｂ）との相違点は、図１２（ａ）に示す例では電極３５、３６をライン電極として構成しているのに対し、図１２（ｂ）に示す例では電極３５、３６を個別電極として構成している点である。
【００３３】
また、情報表示用パネル１をそれほど薄くする必要がない場合は、図１３（ａ）、（ｂ）に示すように、２枚の片面表示式表示部パネル２−１と２−２とを互いの片側表示面２ｃが外側を向くように背中合わせに重ねた構成をとることができる。片面表示式表示部パネル２−１、２−２では、背中合わせになる側の基板および電極は透明でなくてもよい。
【００３４】
図１４（ａ）、（ｂ）および図１５（ａ）、（ｂ）はそれぞれ本発明において両面表示式表示部パネルとして２枚の片面表示式表示部パネル２−１、２−２を用いた例を示す図である。図１４（ａ）、（ｂ）に示す例では、２枚の表示部パネル２−１の背面側と２−２の背面側とを接着剤５１で貼り合わせて両面表示可能な表示部パネルを構成している。本例では、表示面となる基板２枚は透明とし、背面側基板は非透明としている。図１４（ａ）に示す例では、モノクロ表示の両面表示式表示部パネルの例を示し、図１４（ｂ）に示す例では、Ｒ、Ｇ、Ｂカラーフィルターによるカラー表示の両面表示式表示部パネルの例を示している。図１５（ａ）、（ｂ）に示す例では、片面表示式表示部パネル２−１、２−２の背面側の基板を１枚の中央基板５２で共用し、３枚の基板で両面表示可能な表示部パネルを構成している。本例では、表示面となる基板２枚は透明とし、背面側基板は非透明としている。図１５（ａ）に示す例では、モノクロ表示の両面表示式表示部パネルの例を示し、図１５（ｂ）に示す例では、Ｒ、Ｇ、Ｂカラーフィルターによるカラー表示の両面表示式表示部パネルの例を示している。
【００３５】
次に、上述した実施例におけるページ捲りスイッチ（送り）４とページ捲りスイッチ（戻り）５との変形例について説明する。図１６（ａ）、（ｂ）はそれぞれ本発明の書籍型情報表示装置におけるページ捲りスイッチの他の例を説明するための図である。図１６（ａ）、（ｂ）に示す例では、両面表示式の２枚目の情報表示用パネル１−２と３枚目の情報表示用パネル１−２とを開閉自在に接続する可動固定部１３を構成するヒンジ部に、２枚目の情報表示用パネル１−１の回転に従って回転する第１の導電接点５１と、３枚目の情報表示用パネル１−２の回転に従って回転する第２の導電接点５２とを同軸状に回転自在に設けている（最初の１枚目の情報表示用パネルは図示していない）。
【００３６】
そして、図１６（ａ）に示すように、第１の導電接点５１と第２の導電接点５２とが接触しない状態から接触する状態へ変わる時にページ送り推知が作動して次ページへの表示書き換えが開始され、図１６（ｂ）に示すように、第１の導電接点５１と第２の導電接点５２とが接触した状態では書き換えが終了し、見開き画面に次ページと次々ページが表示されているようにすることができる。つまり、２枚目の情報表示用パネル１−１を裏返す動作中に、第１の導電接点５１と第２の導電接点５２とが接触することで、ページ送り書き換えであることが判断されている。このようにした構成を２枚目〜（ｎ−１）枚目の情報表示用パネルでとることで、本発明の書籍型情報表示装置におけるページ捲りスイッチの役目を果たすことができる。図１６（ｂ）に示した状態から２枚目の情報表示用パネルを戻すように右側にめくると、接触していた導電接点５１と５２とが接触しない状態に変わる時にページ戻りスイッチが作動して舞えページへの表示書き換えが開始され、図１６（ａ）に示す状態では書き換えが終了し、２枚目の情報表示用パネルと１枚目の情報表示用パネルで形成される見開き画面に前ページと前々ページが表示されているようにすることができる。
【産業上の利用可能性】
【００３７】
本発明の書籍型情報表示装置は、電子書籍、電子新聞、電子辞書、電子カタログ、電子マニュアル（取扱説明書）、電子手帳、電子カレンダー、電子楽譜等に好適に用いることができる。
【図面の簡単な説明】
【００３８】
【図１】（ａ）、（ｂ）はそれぞれ本発明の書籍型情報表示装置を構成する情報表示用パネルの一例を説明するための図である。
【図２】（ａ）、（ｂ）はそれぞれ本発明の書籍型情報表示装置を構成する情報表示用パネルの他の例を説明するための図である。
【図３】（ａ）、（ｂ）はそれぞれ本発明の書籍型情報表示装置の一例を説明するための図である。
【図４】本発明の書籍型情報表示装置の他の例を説明するための図である。
【図５】本発明の書籍型情報表示装置のさらに他の例を説明するための図である。
【図６】（ａ）〜（ｃ）はそれぞれ本発明の書籍型情報表示装置におけるページ送り動作の基本を説明するための図である。
【図７】（ａ）〜（ｃ）はそれぞれ本発明の書籍型情報表示装置におけるページ戻り動作の基本を説明するための図である。
【図８】（ａ）〜（ｃ）はそれぞれ本発明の書籍型情報表示装置の最後の情報表示用パネルにおけるページ送り動作の基本を説明するための図である。
【図９】（ａ）〜（ｄ）は本発明の書籍型情報表示装置のページ送り動作の具体的な一例を説明するための図である。
【図１０】（ａ）、（ｂ）はそれぞれ本発明に用いる表示部パネルの一具体例を説明するための図である。
【図１１】（ａ）、（ｂ）はそれぞれ本発明に用いる表示部パネルの他の具体例を説明するための図である。
【図１２】（ａ）、（ｂ）はそれぞれ本発明に用いる表示部パネルのさらに他の具体例を説明するための図である。
【図１３】（ａ）、（ｂ）はそれぞれ本発明に用いる表示部パネルのさらに他の具体例を説明するための図である。
【図１４】（ａ）、（ｂ）はそれぞれ本発明に用いる表示部パネルのさらに他の具体例を説明するための図である。
【図１５】（ａ）、（ｂ）はそれぞれ本発明に用いる表示部パネルのさらに他の具体例を説明するための図である。
【図１６】（ａ）、（ｂ）はそれぞれ本発明の書籍型情報表示装置におけるページ捲りスイッチの他の例を説明するための図である。
【符号の説明】
【００３９】
１、１−１…１−ｎ  情報表示用パネル
２、２−１、２−２  表示用パネル
３  筐体
４  ページ捲り（情報書き換え）スイッチ（送り）
５  ページ捲り（情報書き換え）スイッチ（戻り）
１１  書籍型情報表示装置
１２、２１  書籍型情報表示装置本体
１３  可動固定部
１４  折り曲げ可動部
１５  片面表示式情報表示用パネル
２２  外部メモリー装着端子
２３  外部メモリー
２４  電池
２５  表示媒体駆動装置
２６  データ読み取り装置
３１、３２  透明基板
３３  表示媒体
３３Ｗ  白色表示媒体
３３Ｂ  黒色表示媒体
３３Ｒ  赤色表示媒体
３３Ｇ  緑色表示媒体
３３ＢＬ  青色表示媒体
３３Ｍ  マゼンタ色表示媒体
３３Ｃ  シアン色表示媒体
３３Ｙ  イエロー色表示媒体
３４  隔壁
３５、３６  透明電極
３７  セル
４１Ｒ  赤色カラーフィルター
４１Ｇ  緑色カラーフィルター
４１ＢＬ  青色カラーフィルター
５１  第１の導電接点
５２  第２の導電接点
【図１】
2008299269.tif 000003
【図２】
2008299269.tif 000004
【図３】
2008299269.tif 000005
【図４】
2008299269.tif 000006
【図５】
2008299269.tif 000007
【図６】
2008299269.tif 000008
【図７】
2008299269.tif 000009
【図８】
2008299269.tif 000010
【図９】
2008299269.tif 000011
【図１０】
2008299269.tif 000012
【図１１】
2008299269.tif 000013
【図１２】
2008299269.tif 000014
【図１３】
2008299269.tif 000015
【図１４】
2008299269.tif 000016
【図１５】
2008299269.tif 000017
【図１６】
2008299269.tif 000018